(57)【要約】      （修正有）【課題】ＬＥＤ発光時の発熱を活用し、より良質の水供給を図ることができる水供給装置、雪解け水の製造方法を提供する。【解決手段】ＬＥＤ配設部１２０内壁に配設された紫外線ＬＥＤ発光時の発熱を雪解け水取得部１１０へと伝達し、開口１１１から浸入する雪解け水を取得する。紫外線ＬＥＤ内壁に配設された紫外線ＬＥＤにより、雪解け水に対する殺菌作用が働くように構成すれば、さらに好ましい。雪解け水は、水取り出し部１４０から取り出され、容器１４１内に溜まる。【選択図】図１
2011153444.tif 000002
【特許請求の範囲】
【請求項１】
ＬＥＤ（発光ダイオード）の発光時の発熱を活用して雪を溶かし、雪解け水を得る
ことを特徴とする水供給装置。
【請求項２】
前記水供給装置は、
内壁にＬＥＤが配設されたＬＥＤ配設部と、
前記ＬＥＤ発光時の発熱が伝達される雪解け水取得部とを含み、
前記雪解け水取得部に設けられた開口から浸入した雪解け水が、前記ＬＥＤ配設部内壁を通過する
ことを特徴とする請求項１に記載の水供給装置。
【請求項３】
前記ＬＥＤが筐体内壁に配設され、
当該筐体に設けられた開口から雪解け水が浸入する
ことを特徴とする請求項１又は２に記載の水供給装置。
【請求項４】
前記雪解け水が生理活性を失わない
ことを特徴とする請求項１から３のいずれかに記載の水供給装置。
【請求項５】
前記雪解け水に対し、前記ＬＥＤから放射された光による殺菌作用が働く
ことを特徴とする請求項１から４のいずれかに記載の水供給装置。
【請求項６】
前記ＬＥＤは紫外線ＬＥＤを含む
ことを特徴とする請求項１から５のいずれかに記載の水供給装置。
【請求項７】
さらに、ＬＥＤ以外の発熱手段を備える
ことを特徴とする請求項１から６のいずれかに記載の水供給装置。
【請求項８】
ＬＥＤ（発光ダイオード）の発光時の発熱を活用して雪を溶かし、雪解け水を得る
ことを特徴とする雪解け水の製造方法。
【請求項９】
さらに、ＬＥＤ以外の発熱手段による発熱も利用する
ことを特徴とする請求項８に記載の雪解け水の製造方法。
【請求項１０】
得られた雪解け水をＬＥＤからの光に曝す
ことを特徴とする請求項８又は９に記載の雪解け水の製造方法。
【請求項１１】
前記ＬＥＤは紫外線ＬＥＤを含む
ことを特徴とする請求項８から１０のいずれかに記載の雪解け水の製造方法。
【発明の詳細な説明】
【技術分野】
【０００１】
本発明は、水供給装置、及び雪解け水の製造方法に関し、特に、雪解け水を得る水供給装置、及び雪解け水の製造方法に関する。
【背景技術】
【０００２】
発展途上国では、安心な飲料水を供給することが、いまだ難しい状態にあり、飲料水による感染症等の病気が問題となっている。より良質な水を提供するべく、紫外線を用いた水の殺菌が種々検討されており、例えば特許文献１には、紫外線ランプを用いた水処理装置について開示されている。
【先行技術文献】
【特許文献】
【０００３】
【特許文献１】特開２００９−２７３９６７号公報
【発明の概要】
【発明が解決しようとする課題】
【０００４】
近年、水の生理活性が５量体と６量体とで異なること、雪解け水の生理活性が高いことなどが報告されている。しかしながら、特許文献１の技術では、雪解け水を得ることは困難である。
【０００５】
本願発明は、上記の点に鑑み、より良質な水を得ることが可能な水供給装置、及び雪解け水の製造方法を提供することを目的とする。
【課題を解決するための手段】
【０００６】
上記の問題点を解決するために、本発明に係る水供給装置は、ＬＥＤの発光時に生じる発熱を活用して雪を溶かし、雪解け水を得ることを特徴としている。
【０００７】
本発明においては、ＬＥＤ（発光ダイオード）の発光時の発熱を活用して雪を溶かし、雪解け水を得る。近年、水の生理活性が５量体と６量体とで異なり、雪解け水は高い生理活性を有することが報告されており、本発明の水供給装置により、より良質の水を得ることが可能となる。生理活性が失われない場合に限定はされないが、前記雪解け水が生理活性を失わないように設計すれば、より好ましい。
【０００８】
ＬＥＤとして紫外線ＬＥＤを用いることができる。得られた雪解け水に対し、前記紫外線ＬＥＤによる殺菌作用が働けば、より好ましい。
前記水供給装置は、内壁にＬＥＤが配設されたＬＥＤ配設部と、前記ＬＥＤ発光時の発熱が伝達される雪解け水取得部とを含み、前記雪解け水取得部に設けられた開口から浸入した雪解け水が、前記ＬＥＤ配設部内壁を通過する構成とすることができる。
【０００９】
前記ＬＥＤが筐体内壁に配設され、当該筐体に設けられた開口から雪解け水が浸入する構成とすることもできる。この構成は、例えば雪解け水の供給プラントなどに適用することができる。規模の大きい雪解け水供給プラントであれば、ＬＥＤ以外の他の発熱手段を設ける構成としても良い。筐体外部から浸入した雪解け水が、紫外線ＬＥＤに曝される構成であれば、殺菌作用も期待でき、好ましい。雪解け水の供給状況をモニターし、ＬＥＤの点灯、消灯や、前記他の発熱手段の駆動状況などを制御する構成とすることもできる。
【００１０】
本発明に係る雪解け水の製造方法は、ＬＥＤの発光時に生じる発熱を活用して雪を溶かし、雪解け水を得ることを特徴としている。ＬＥＤとして紫外線ＬＥＤを用いることができる。
【発明の効果】
【００１１】
本発明に係る水供給装置等によると、ＬＥＤ発光時の発熱を活用して、雪解け水を得るため、ＬＥＤ発光時の発熱を有効活用でき、また、より良質の水供給を図ることも可能になる。
【図面の簡単な説明】
【００１２】
【図１】本発明の実施の形態における水供給装置の概略構成の一例について説明するための模式図である。
【図２】図１のＡ−Ａ線矢視断面図である。
【図３】雪山３００に積もった雪３１０に巨大な雪解け水取得プラント２００が埋め込まれるような実施形態の一例を例示する模式図である。
【図４】中規模の水供給装置の一例について説明するための斜視図である。
【発明を実施するための形態】
【００１３】
以下、本発明の実施の形態について、図面を参照しながら説明する。
図１は、本発明の実施の形態における水供給装置の概略構成の一例について説明するための模式図である。
【００１４】
図１に示されるように、水供給装置１００は、雪解け水取得部１１０、紫外線ＬＥＤ配設部１２０、取っ手１３０、水取り出し部１４０を含む。取っ手１３０には、紫外線ＬＥＤの発光をオン、オフするスイッチ１３１が取り付けられている。
【００１５】
雪解け水取得部１１０、紫外線ＬＥＤ配設部１２０は、熱伝導性が良く、紫外線ＬＥＤ発光時の発熱を雪解け水取得部１１０に伝達することが可能な材料、構造で構成される。
【００１６】
雪解け水取得部１１０の上側には、雪解け水を取得するための開口１１１が複数設けられている。開口１１１の数、大きさなどは、紫外線ＬＥＤ発光時の発熱量、取得する雪解け水の量などに応じて適宜設計することができる。紫外線ＬＥＤによる殺菌作用が働くように、取得水量を調整することもできる。開口の形状が円形に限定されないことは勿論である。開口は、雪解け水取得部１１０の上側だけでなく、下側にも設ける構成としても良い。なお、ＬＥＤとしては、発光時に発熱するものであれば良く紫外線ＬＥＤに限定はされない。
【００１７】
図２は、図１のＡ−Ａ線矢視断面図である。同図では、図１に示される開口１１１の一部の図示を省略している。同図の例では、紫外線ＬＥＤ発光のための電池１２１を、取っ手１３０内に配しているが、電池の配置位置はこれに限定されない。電池の種類が、太陽電池も含め、何でも良いことは勿論であるし、商用電源を用いることもできる。取っ手１３０は、紫外線ＬＥＤ１２２からの発熱に影響されないような材料で構成することが好ましい。なお紫外線ＬＥＤ１２２の点灯回路は図示を省略しているが、任意の位置、形態で設けることができる。
【００１８】
雪解け水取得部１１０の先端は、雪解け水取得部１１０を雪中に挿入しやすくするためにエッジ１１２が設けられている。ユーザは、取っ手１３０により、雪解け水取得部１１０を雪中に押入することができる。エッジはなくても良いし、内向きでも外向きでも良い。効率的に雪中に押入するためにスクリュー状としても良い。雪解け水取得部１１０が雪中に押入された状態でスイッチ１３１をオンとすると、紫外線ＬＥＤ配置部１２０内壁に配設された紫外線ＬＥＤ１２２が発光する。雪中に押入する前にスイッチ・オンとしても良いことは勿論である。スイッチ１３１の位置は任意である。紫外線ＬＥＤ１２２としては、例えば、ＵＶＡ、ＵＶＢ、ＵＶＣ、あるいは二種、三種を混合して配設することができる。個数は特に限定されないが、雪解け水を効率的に得るために適切な発熱量が得られるように適宜設計することができる。また、取得した雪解け水に対して殺菌作用が働くような個数、配置位置とすれば、より好ましい。
【００１９】
紫外線ＬＥＤ１２２が発光した際の発熱が、雪解け水取得部１１０に伝達されて、雪解け水取得部１１０周辺の雪が溶け、雪解け水として、開口１１１から雪解け水取得部１１０内に流入する。近年、水の生理活性が５量体と６量体とで異なること、雪解け水は生理活性が高く、沸騰させてしまうと生理活性が失われてしまうことなどが報告されている。紫外線ＬＥＤ１２２による発熱量、雪解け水取得部１１０に伝達される熱量、雪を溶かすための熱量については、紫外線ＬＥＤ１２２の種類、数、あるいは開口１１１の数、大きさなどを適宜調整して設計することが可能であり、熱により雪解け水の生理活性が失われない程度に調整すれば、より好ましい。
【００２０】
開口１１１から流れ込んだ雪解け水は、図２中矢印Ａ方向、さらには矢印Ｂ方向へと、紫外線ＬＥＤ配設部１２０内を流れて紫外線ＬＥＤ１２２からの紫外線に曝され、水取り出し部１４０で取り出される。紫外線ＬＥＤ配設部１２０外周部は、ユーザが火傷等しないように、適切な材料でカバーする構成としても良い。図１の例では、水取り出し部１４０に接続された容器１４１内に雪解け水１４２が溜まるようにしているが、雪解け水の貯蔵は容器１４１のような形態に限定されず、袋を取り付けてもよい。容器の大きさに限定はないが、雪解け水１４２が満杯となってもユーザが負担を感じない程度とすることができる。取り出された雪解け水は、状況により、そのまま利用することもできるし、飲用等に適するように、フィルタ等を通過させたり、更なる殺菌処理を行うようにしても良い。雪解け水の用途は、飲用の他、化粧品、入浴剤、洗剤等、種々考えられるところである。用途に応じ、添加物等を加えることも可能であろう。
【００２１】
以上に説明したように、本実施の形態の水供給装置によれば、ＬＥＤ発光時の発熱を活用して雪を溶かし、雪解け水を得る。紫外線ＬＥＤを用いれば、紫外線ＬＥＤによる殺菌作用も期待でき、より良質の水供給を図ることもできる。
【００２２】
なお、本発明は、図１に例示したような小型の水供給装置に何ら限定されず、例えば雪山に巨大なプラントを構築し、パイプラインで発展途上国に水を供給することも可能である。例えば、図３に模式図を示すように、雪山３００に積もった雪３１０に巨大な雪解け水取得プラント２００が埋め込まれるような構成とする。雪解け水取得プラント２００内部には紫外線ＬＥＤが配されるとともに、複数の開口２０１が設けられて雪解け水を取得する。紫外線ＬＥＤが配設された筐体部分にも開口を設けて、雪解け水を取得することができる。本発明の基本は、ＬＥＤからの発熱の有効活用にあるが、大規模なプラントとなれば、紫外線ＬＥＤからの発熱を活用するだけではなく、他の発熱手段による発熱を利用する構成としても良い。開口２０１から浸入した雪解け水が、紫外線ＬＥＤからの紫外線に曝される構成とすれば、殺菌作用も期待でき、より好ましい。雪解け水の供給状況をモニターし、紫外線ＬＥＤの点灯、消灯や、前記他の発熱手段の駆動状況などを制御する構成とすることもできる。
【００２３】
水供給プラントは、雪山中に構築する実施形態に限定されない。例えば雪を運搬してきて水供給プラントに投入するような実施形態も可能である。
【００２４】
得られた雪解け水は、例えばパイプライン２１０を通して発展途上国に提供することも可能であり、汚れた水による病気、といった問題の解決を図ることもできる。雪解け水の供給先が発展途上国に限られないことは勿論である。パイプライン２１０内壁にも紫外線ＬＥＤ等を配して、さらに殺菌を図っても良い。雪解け水はパイプライン経由ではなく、容器に貯蔵して輸送することもできる。飲用等に適するように、フィルタ等を通過させても良い。用途に応じて添加物等を加えることもできる。
【００２５】
また、本願発明の範囲が上記に説明した実施形態に限定されることはなく、例えば、雪解け水取得部１１０を雪中に押入しやすくするように工夫された形態や、雪解け水が流れやすくするよう工夫されたような実施形態、水取り出し部１４０から雪解け水を取り出しやすくするように工夫されたような実施形態も本願発明の範囲に含まれる。
【００２６】
雪解け水の取得は、図１のようなハンディタイプや、図３のような水供給装置（プラント）に限らず、中規模の装置に適用することも可能である。図４は、中規模の水供給装置の一例について説明するための斜視図である。
【００２７】
図４の例では、ケーシング４００にパイプ４１０が取り付けられて、パイプ４１０先端部分に雪解け水取得部４２０が設けられる。雪解け水取得部４２０には、開口４２１が複数設けられており、開口４２１から雪解け水が得られる。得られた雪解け水は、パイプ４１０を伝わって、ケーシング４００内の水収容器（不図示）に溜められる。雪解け水取得部４２０先端にエッジを設けても良いのは図１の例と同様である。ケーシング４００の寸法に特に限定はないが、例えば高さ８０ｃｍ〜１ｍ、幅５０〜６０ｃｍ、長さ６０〜８０ｃｍ程度が想定できる。パイプ４１０の材料、内径にも特に限定はないが、例えば内径２０ｃｍ程度が想定できる。ＬＥＤによる発熱に影響されない材料を用いることは好ましいことと考えられる。
【００２８】
この実施形態では、雪解け水取得部４２０が筐体に相当し、雪解け水取得部４２０の内壁に紫外線ＬＥＤ（不図示）が配設される。雪解け水取得部４２０を構成する材料、紫外線ＬＥＤの種類や数、位置、開口の形状、大きさ、開口の数、位置に何ら限定はなく、ＬＥＤからの発熱を活用できれば良い。開口４２１部分には紫外線ＬＥＤを配さず、開口４２１部分の手前（ケーシング側）に紫外線ＬＥＤを配設して、開口４２１部分へと発熱を伝達する構成でも構わない（この場合には、開口４２１の手前部分が紫外線ＬＥＤ配設部となる）。
【００２９】
雪解け水取得部４２０にセンサを設け、雪解け水取得部４２０が、雪が存在する方向へと動くように制御する構成も可能である。図４の例では、パイプ４１０には、ジャバラ状になされて、曲がることが可能な部分が設けられている。また、ケーシング４００の底には、車輪４０１が取り付けられており、雪のある方向へと自動的にケーシング４００が移動するような構成とすることもできる。雪解け水取得部４２０の移動制御や、ケーシング４００の移動制御を実現する構成は、従来の技術を適用すれば良い。制御等のための電源としては、リチウムイオン電池などの二次電池を用いることもできるし、商用電源でも構わない。紫外線ＬＥＤ以外の発熱手段を設けても良い点も、上記他の実施形態と同様である。
【産業上の利用可能性】
【００３０】
本発明は、例えば、水を供給する水供給装置等に適用することができる。
【符号の説明】
【００３１】
１００                  水供給装置
１１０                  雪解け水取得部
１１１                  開口
１１２                  エッジ
１２０                  紫外線ＬＥＤ配設部
１２１                  電池
１２２                  紫外線ＬＥＤ
１３０                  取っ手
１３１                  スイッチ
１４０                  水取り出し部
１４１                  容器
１４２                  雪解け水
２００                  雪解け水取得プラント
２０１                  開口
２１０                  パイプライン
３００                  雪山
３１０                  雪
４００                  ケーシング
４０１                  車輪
４１０                  パイプ
４２０                  雪解け水取得部
４２１                  開口
【図１】
2011153444.tif 000003
【図２】
2011153444.tif 000004
【図３】
2011153444.tif 000005
【図４】
2011153444.tif 000006